(57)【要約】      （修正有）【課題】規制部材で規制された現像剤が、上流側に滞留することを抑制することができる現像装置および画像形成装置を提供する。【解決手段】現像部材の回転体２１ｂの表面に保持される現像剤の量を規制する規制部材３１と、規制部材３１に対応して配置された規制用の磁極Ｓ１１と、回転体２１ｂの表面に現像剤を吸着させる吸着用の磁極Ｎ１１と、を有する現像部材の磁石部材２１ａと、規制部材３１で規制された現像剤を案内する案内部３２ａの端部３２ｂが、規制用の磁極Ｓ１１と吸着用の磁極Ｎ１１との間の磁力が極小の位置３７ａの延長線上に配置された現像装置。【選択図】図４
2014174492.tif 000002
【特許請求の範囲】
【請求項１】
現像剤が収容される容器と、
像保持体に対向して配置された現像部材であって、前記像保持体の表面の潜像を可視像に現像する現像剤を表面に保持して回転する回転体と、前記回転体の内部に配置され且つ前記容器内の現像剤を前記回転体の表面に吸着させる磁力を発生させる磁極を複数有する磁石部材と、を有する前記現像部材と、
前記回転体の回転方向に対して前記像保持体との対向位置よりも上流側に配置され、且つ、前記回転体の表面に近接して配置され、前記回転体の表面に保持される現像剤の量を規制する規制部材と、
前記規制部材に対応して配置された規制用の磁極と、前記回転体の回転方向に対して前記規制用の磁極よりも上流側に配置され且つ前記回転体の表面に現像剤を吸着させる吸着用の磁極と、を少なくとも有する前記磁石部材と、
前記規制部材で規制された現像剤を、前記容器に向けて案内する案内部であって、前記案内部の容器側の端部が、前記規制用の磁極と前記吸着用の磁極との間の磁力が極小の位置と、前記回転体の回転中心とを結ぶ仮想線分の延長線上に配置された前記案内部と、
を備えたことを特徴とする現像装置。
【請求項２】
前記像保持体の回転方向に対して、前記現像部材よりも上流側で前記像保持体に対向して配置された第２の現像部材であって、前記像保持体の表面の潜像を可視像に現像する現像剤を表面に保持して回転する第２の回転体と、前記第２の回転体の内部に配置され且つ前記現像剤を前記第２の回転体の表面に吸着させる磁力を発生させる磁極を複数有する第２の磁石部材と、を有し、前記現像部材の回転体と前記第２の回転体とが対向する領域において、前記回転体から前記第２の回転体に現像剤を移動させる前記磁極が配置された前記第２の現像部材と、
を備えたことを特徴とする請求項１に記載の現像装置。
【請求項３】
前記回転体の回転中心に対して、重力方向で、上方に配置された前記規制用の磁極と、
前記回転体の回転中心に対して、重力方向で、下方に配置された前記吸着用の磁極と、
前記回転体の回転中心に対して重力方向で下方、且つ、前記吸着用の磁極よりも重力方向で上方に配置された前記案内部の容器側の端部と、
を備えたことを特徴とする請求項１または２に記載の現像装置。
【請求項４】
前記回転体の表面に対して法線方向の磁束密度の分布の波形において、前記吸着用の磁極から前記規制用の磁極までの間に、前記波形の変曲点を少なくとも２つ有し、且つ、２つの変曲点の間の波形が、２つの変曲点の外側の波形よりも、磁力がゼロに近づく波形となるように前記規制用の磁極および前記吸着用の磁極が配置された前記磁石部材と、
を備えたことを特徴とする請求項１ないし３のいずれかに記載の現像装置。
【請求項５】
像保持体と、
前記像保持体に潜像を形成する潜像の形成装置と、
前記像保持体の潜像を可視像に現像する請求項１ないし４のいずれかに記載の現像装置と、
前記像保持体の可視像を媒体に転写する転写装置と、
前記媒体に転写された可視像を定着させる定着装置と、
を備えたことを特徴とする画像形成装置。
【発明の詳細な説明】
【技術分野】
【０００１】
本発明は、現像装置および画像形成装置に関する。
【背景技術】
【０００２】
画像形成装置の現像装置において、現像部材の表面に形成する現像剤の層の厚さを規制する技術として、以下の特許文献１が公知である。
特許文献１としての特開２０１１−１７８５７号公報には、現像スリーブ（３４ａ）の表面の現像剤の量を剤規制部材（３５）で規制する現像装置において、剤規制部材（３５）の上流側で、現像スリーブ（３４ａ）に現像剤を供給する位置に、遮蔽壁（１３０）を配置して、遮蔽壁（１３０）と障壁（１３）との隙間から現像スリーブ（３４ａ）に現像剤を供給することで、現像剤の供給量を安定化する技術が記載されている。
【先行技術文献】
【特許文献】
【０００３】
【特許文献１】特開２０１１−１７８５７号公報（「００２１」〜「００２２」、「００４１」〜「００４４」、図１、図６）
【発明の概要】
【発明が解決しようとする課題】
【０００４】
本発明は、規制部材で規制された現像剤が、上流側に滞留することを抑制することを技術的課題とする。
【課題を解決するための手段】
【０００５】
前記技術的課題を解決するために、請求項１に記載の発明の現像装置は、
現像剤が収容される容器と、
像保持体に対向して配置された現像部材であって、前記像保持体の表面の潜像を可視像に現像する現像剤を表面に保持して回転する回転体と、前記回転体の内部に配置され且つ前記容器内の現像剤を前記回転体の表面に吸着させる磁力を発生させる磁極を複数有する磁石部材と、を有する前記現像部材と、
前記回転体の回転方向に対して前記像保持体との対向位置よりも上流側に配置され、且つ、前記回転体の表面に近接して配置され、前記回転体の表面に保持される現像剤の量を規制する規制部材と、
前記規制部材に対応して配置された規制用の磁極と、前記回転体の回転方向に対して前記規制用の磁極よりも上流側に配置され且つ前記回転体の表面に現像剤を吸着させる吸着用の磁極と、を少なくとも有する前記磁石部材と、
前記規制部材で規制された現像剤を、前記容器に向けて案内する案内部であって、前記案内部の容器側の端部が、前記規制用の磁極と前記吸着用の磁極との間の磁力が極小の位置と、前記回転体の回転中心とを結ぶ仮想線分の延長線上に配置された前記案内部と、
を備えたことを特徴とする。
【０００６】
請求項２に記載の発明は、請求項１に記載の現像装置において、
前記像保持体の回転方向に対して、前記現像部材よりも上流側で前記像保持体に対向して配置された第２の現像部材であって、前記像保持体の表面の潜像を可視像に現像する現像剤を表面に保持して回転する第２の回転体と、前記第２の回転体の内部に配置され且つ前記現像剤を前記第２の回転体の表面に吸着させる磁力を発生させる磁極を複数有する第２の磁石部材と、を有し、前記現像部材の回転体と前記第２の回転体とが対向する領域において、前記回転体から前記第２の回転体に現像剤を移動させる前記磁極が配置された前記第２の現像部材と、
を備えたことを特徴とする。
【０００７】
請求項３に記載の発明は、請求項１または２に記載の現像装置において、
前記回転体の回転中心に対して、重力方向で、上方に配置された前記規制用の磁極と、
前記回転体の回転中心に対して、重力方向で、下方に配置された前記吸着用の磁極と、
前記回転体の回転中心に対して重力方向で下方、且つ、前記吸着用の磁極よりも重力方向で上方に配置された前記案内部の容器側の端部と、
を備えたことを特徴とする。
【０００８】
請求項４に記載の発明は、請求項１ないし３のいずれかに記載の現像装置において、
前記回転体の表面に対して法線方向の磁束密度の分布の波形において、前記吸着用の磁極から前記規制用の磁極までの間に、前記波形の変曲点を少なくとも２つ有し、且つ、２つの変曲点の間の波形が、２つの変曲点の外側の波形よりも、磁力がゼロに近づく波形となるように前記規制用の磁極および前記吸着用の磁極が配置された前記磁石部材と、
を備えたことを特徴とする。
【０００９】
前記技術的課題を解決するために、請求項５に記載の発明の画像形成装置は、
像保持体と、
前記像保持体に潜像を形成する潜像の形成装置と、
前記像保持体の潜像を可視像に現像する請求項１ないし４のいずれかに記載の現像装置と、
前記像保持体の可視像を媒体に転写する転写装置と、
前記媒体に転写された可視像を定着させる定着装置と、
を備えたことを特徴とする。
【発明の効果】
【００１０】
請求項１、５に記載の発明によれば、磁力が極小の位置に対応させて案内部の端部を配置しない構成に比べて、規制部材で規制された現像剤が、上流側に滞留することを抑制することができる。
請求項２に記載の発明によれば、第２の現像部材に現像剤を受け渡しつつ、規制部材で規制された現像剤が、上流側に滞留することを抑制することができる。
請求項３に記載の発明によれば、規制部材と回転体と案内部とに囲まれた空間に、回転体の表面に吸着されていない現像剤が進入することを抑制できる。
請求項４に記載の発明によれば、本発明の構成を有しない場合に比べて、現像剤の滞留が抑制されやすくなる。
【図面の簡単な説明】
【００１１】
【図１】図１は本発明の実施例１の画像形成装置の説明図である。
【図２】図２は実施例１の現像装置の要部断面説明図である。
【図３】図３は実施例１の現像装置の説明図であり、図２のＩＩＩ−ＩＩＩ線断面図である。
【図４】図４は実施例１の第１の現像ロールのトリマーの近傍の要部説明図である。
【図５】図５は従来の現像ロールにおけるトリマー近傍の説明図である。
【図６】図６は磁気のプロファイルと磁力との説明図であり、図６Ａは図５に示す従来の構成における磁気プロファイルについて横軸に位相を取り縦軸に磁束密度を取ったグラフ、図６Ｂは図５に示す従来の構成における磁力について横軸に位相を取り縦軸に磁力を取ったグラフ、図６Ｃは実施例１における磁気プロファイルについて横軸に位相を取り縦軸に磁束密度を取ったグラフ、図６Ｄは実施例１における磁力について横軸に位相を取り縦軸に磁力を取ったグラフである。
【図７】図７は、現像剤が受け渡される領域における磁界の説明図であり、図７Ａは従来の構成における磁界の説明図、図７Ｂは実施例１の構成における磁界の説明図である。
【発明を実施するための形態】
【００１２】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１３】
図１は本発明の実施例１の画像形成装置の説明図である。
図１において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１４】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧとの間には、原稿の搬送路Ｕ３ａに沿って、原稿の搬送ロールＵ３ｂが配置されている。
【００１５】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの左方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の書込回路ＤＬに電気的に接続されている。書込回路ＤＬは、潜像の形成装置の一例としての露光機ＲＯＳに電気的に接続されている。
【００１６】
露光機ＲＯＳの下方には、像保持体の一例としての感光体ドラムＰＲが配置されている。感光体ドラムＰＲは、矢印Ｙａ方向に回転する。
感光体ドラムＰＲには、帯電領域Ｑ０において、帯電器の一例としての帯電ロールＣＲが対向して配置されている。前記帯電ロールＣＲには、電源回路Ｅから帯電電圧が印加される。なお、電源回路Ｅは、制御部の一例としてのコントローラＣにより制御される。前記コントローラＣは、画像処理部ＧＳや書込回路ＤＬ等との間でも信号の送受信を行って、各種制御を行う。
感光体ドラムＰＲの回転方向に対して、帯電領域Ｑ０の下流側に設定された書込領域Ｑ１において、感光体ドラムＰＲの表面に、露光機ＲＯＳから、書込光の一例としてのレーザビームＬが照射される。
感光体ドラムＰＲの回転方向に対して、書込領域Ｑ１の下流側に設定された現像領域Ｑ２には、現像装置Ｇが感光体ドラムＰＲの表面に対向して配置されている。
感光体ドラムＰＲの回転方向に対して、現像領域Ｑ２の下流側には、転写領域Ｑ３が設定されている。
【００１７】
プリンタ部Ｕ１の下部には、媒体の収容容器の一例としての給紙トレイＴＲ１〜ＴＲ４が着脱可能に支持されている。給紙トレイＴＲ１〜ＴＲ４には、媒体の一例としてのシートＳが収容されている。
給紙トレイＴＲ１〜ＴＲ４の左上方には、媒体の取出部材の一例としてのピックアップロールＲｐが配置されている。ピックアップロールＲｐの左方には、捌き部材の一例としてのさばきロールＲｓが配置されている。
各給紙トレイＴＲ１〜ＴＲ４の左方には、上方に延びる媒体の搬送路ＳＨ１が形成されている。搬送路ＳＨ１には、媒体の搬送部材の一例としての搬送ロールＲａが複数配置されている。搬送路ＳＨ１には、シートＳの搬送方向の下流部であり且つ転写領域Ｑ３の上流側に、送出部材の一例としてのレジロールＲｒが配置されている。
【００１８】
前記転写領域Ｑ３には、感光体ドラムＰＲの下方に、転写装置の一例であって、媒体の搬送装置の一例としての転写ユニットＴＵが配置されている。転写ユニットＴＵは、媒体の搬送部材の一例として、無端状の転写ベルトＴＢを有する。
転写ベルトＴＢは、駆動部材の一例としての駆動ロールＲｄと、従動部材の一例としての従動ロールＲｆとにより回転可能に支持されている。
転写ベルトＴＢの内側には、転写器の一例としての転写ロールＴＲが支持されている。前記転写ロールＴＲは、転写ベルトＴＢを挟んで感光体ドラムＰＲに対向して配置されている。したがって、転写ロールＴＲと感光体ドラムＰＲとが対向する領域により、転写領域Ｑ３が構成されている。前記転写ロールＴＲには、電源回路Ｅから転写電圧が印加される。  
【００１９】
転写ベルトＴＢの右端部には、媒体の剥離部材の一例としての剥離爪ＳＣが配置されている。剥離爪ＳＣの下方には、転写装置の清掃器の一例としてのベルトクリーナＣＬｂが、転写ベルトＴＢの表面に対向して配置されている。
なお、感光体ドラムＰＲの回転方向に対して、転写領域Ｑ３の下流側には、像保持体の清掃器の一例としてのドラムクリーナＣＬｐが、感光体ドラムＰＲの表面に対向して配置されている。
【００２０】
転写ユニットＴＵの右方には、定着装置Ｆが配置されている。定着装置Ｆは、加熱用の回転部材の一例としての加熱ロールＦｈと、加圧用の回転部材の一例としての加圧ロールＦｐとを有する。
定着装置Ｆの右方には、媒体の搬送路の一例として、上方に延びる排出路ＳＨ２が接続されている。
排出路ＳＨ２には、媒体の搬送部材の一例として、媒体を搬送可能且つ正逆回転可能な搬送ロールＲｂや排出ロールＲｈが配置されている。
プリンタ部Ｕ１の上面には、媒体の排出部の一例としての排紙トレイＴＲｈが形成されている。
【００２１】
排出路ＳＨ２の下方には、媒体の搬送路の一例としての反転路ＳＨ３が形成されている。実施例１の反転路ＳＨ３は、排出路ＳＨ２から分岐して下方に延び、レジロールＲｒよりもシートの搬送方向の上流側で搬送路ＳＨ１に合流している。
排出路ＳＨ２と反転路ＳＨ３との分岐部には、搬送方向の切替部材の一例としてのゲートＭＧが配置されている。実施例１のゲートＭＧは、弾性変形可能な薄膜形状、いわゆるフィルムにより構成されている。定着装置Ｆから搬送されるシートＳがゲートＭＧを通過する場合は、シートＳにゲートＭＧが押されて弾性変形して、シートＳが排出路ＳＨ２に通過可能となるように配置されている。そして、シートＳが排出路ＳＨ２から反転路ＳＨ３に搬送される場合、ゲートＭＧは、弾性復元した状態で保持され、シートＳが、定着装置Ｆの側に進入することを妨げ、反転路ＳＨ３の側にシートＳを案内するように配置されている。
【００２２】
（画像形成動作の説明）
前記原稿トレイＴＧ１に収容された複数の原稿Ｇｉは、プラテンガラスＰＧ上の原稿の読み取り位置を順次通過して、原稿排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
原稿Ｇｉからの反射光は、光学系Ａを通って、撮像素子ＣＣＤに集光される。前記撮像素子ＣＣＤは、撮像面上に集光された原稿の反射光を電気信号に変換する。
【００２３】
画像処理部ＧＳは、撮像素子ＣＣＤから入力された読取信号を、デジタルの画像信号に変換して、プリンタ部Ｕ１の書込回路ＤＬに出力する。前記書込回路ＤＬは、入力された画像書込信号に応じた制御信号を、露光機ＲＯＳに出力する。
前記感光体ドラムＰＲの表面は、帯電領域Ｑ０において帯電ロールＣＲによりに帯電される。潜像書込位置Ｑ１において、露光機ＲＯＳから出力されたレーザビームＬは、感光体ドラムＰＲの表面に静電潜像を形成する。現像領域Ｑ２において、現像装置Ｇは、現像領域Ｑ２を通過する感光体ドラムＰＲの静電潜像を、可視像の一例としてのトナー像に現像する。現像装置Ｇで現像剤が消費されると、消費量に応じて、図示しない現像剤の容器から現像装置Ｇに現像剤が補給される。
【００２４】
前記各トレイＴＲ１〜ＴＲ４のシートＳは、予め設定された給紙時期にピックアップロールＲｐにより取り出される。ピックアップロールＲｐで取り出されたシートＳは、複数枚のシートＳが重なった状態で取り出された場合には、さばきロールＲｓで１枚づつ分離される。さばきロールＲｓを通過したシートＳは、複数の搬送ロールＲａにより、レジロールＲｒに搬送される。
【００２５】
前記レジロールＲｒに搬送されたシートＳは、感光体ドラムＰＲの表面のトナー像が転写領域Ｑ３に移動する時期に合わせて、転写前の案内部材の一例としての転写前のシートガイドＳＧ１から転写領域Ｑ３に向けて搬送される。
レジロールＲｒから搬送されたシートＳは、転写ベルトＴＢの表面に支持されて、転写領域Ｑ３を通過する。転写領域Ｑ３を通過するシートＳには、転写ロールＴＲに印加された転写電圧により、感光体ドラムＰＲ表面のトナー像が転写される。
転写領域Ｑ３を通過後の感光体ドラムＰＲ表面には、ドラムクリーナＣＬｐにより残留トナーが除去されて清掃される。清掃後の感光体ドラムＰＲの表面は、帯電ロールＣＲにより再帯電される。
【００２６】
トナー像が転写されたシートＳは、剥離爪ＳＣにより、転写ベルトＴＢから剥離される。シートＳが剥離された転写ベルトＴＢは、ベルトクリーナＣＬｂにより、転写ベルトＴＢの表面に付着した現像剤や紙粉等の付着物が除去される。転写ベルトＴＢから剥離されたシートＳは、加熱ロールＦｈと加圧ロールＦｐとの接触領域を通過する際に、トナー像が加熱および加圧されて定着される。
トナー像が定着された記録シートＳは、ゲートＭＧを弾性変形させながら通過して、排出路ＳＨ２に搬送される。排紙トレイＴＲｈに排出されるシートＳは、搬送ロールＲｂにより搬送されて、排出ロールＲｈにより、排紙トレイＴＲｈに排出される。
【００２７】
両面印刷が行われる場合には、片面が記録済のシートＳの後端が、ゲートＭＧを通過するまで、搬送ロールＲｂや排出ロールＲｈにより下流側に搬送される。シートＳの後端がゲートＭＧを通過すると、搬送ロールＲｂや排出ロールＲｈが逆回転をして、排出路ＳＨ２から反転路ＳＨ３に向けて搬送される。すなわち、シートＳは、搬送方向が逆転して、いわゆるスイッチバックされる。スイッチバックされたシートＳは、ゲートＭＧに案内されて反転路ＳＨ３を搬送される。反転路ＳＨ３を搬送されたシートＳは、搬送路ＳＨ１に合流し、表裏が反転した状態で、レジロールＲｒに搬送される。そして、転写領域Ｑ３において、シートＳの第２面に画像が印刷される。
【００２８】
（現像装置の説明）
図２は実施例１の現像装置の要部断面説明図である。
図３は実施例１の現像装置の説明図であり、図２のＩＩＩ−ＩＩＩ線断面図である。
図１、図２において、実施例１の現像装置Ｇは、容器１を有する。前記容器１には、現像剤が収容されている。なお、実施例１では、現像剤として、磁性粉体の一例としてのキャリアと、現像用の粉体の一例としてのトナーと、を含む現像剤、いわゆる２成分現像剤により構成されている。
容器１は、前後方向に延びる容器の本体１ａを有する。容器の本体１ａの前端部には、前方に延びる筒部１ｂが支持されている。また、容器の本体１ａの後端部には、後方に延びる筒部１ｃが支持されている。
【００２９】
容器の本体１ａおよび筒部１ｂの左部には、第１の収容室の一例としてのアドミクス室２が形成されている。前記アドミクス室２は、前後方向に延びている。アドミクス室２の前端部の上面には、補給部の一例としての補給口２ａが形成されている。補給口２ａには、図示しない現像剤の補給装置から現像剤が補給可能に構成されている。アドミクス室２の右側には、第２の収容室の一例としてのサプライ室３が形成されている。サプライ室３は、アドミクス室２と平行して、前後方向に延びている。アドミクス室２とサプライ室３との間には、仕切部の一例としての仕切壁４が形成されている。仕切壁４は、アドミクス室２およびサプライ室３よりも前後方向の長さが短く形成されている。したがって、アドミクス室２とサプライ室３とは、前端の第１の流入部６と、後端の第２の流入部７とで接続されている。よって、実施例１の容器１では、前記流入部６，７を通じて、アドミクス室２とサプライ室３との間で、現像剤が移動可能に構成されている。
前記アドミクス室２とサプライ室３とで、循環部の一例としての循環室２，３が構成されている。
【００３０】
前記サプライ室３の後方には、現像剤の排出部の一例としての排出室８が接続されている。前記排出室８の後端には、現像剤の排出口８ａが形成されている。現像剤の排出口８ａは、図示しない回収容器に接続されている。
前記サプライ室３の右上方には、第１の現像部材の収容部の一例としての第１の現像室１１が形成されている。また、第１の現像室１１の上方には、第２の現像部材の収容部の一例としての第２の現像室１２が形成されている。
前記アドミクス室２とサプライ室３の上方には、貯留部の一例としての貯留室１３が形成されている。実施例１の貯留室１３の底部は、サプライ室３の上部に接続されている。したがって、貯留室１３の現像剤はサプライ室３に流入可能に構成されている。
【００３１】
アドミクス室２には、第１の搬送部材の一例としてのアドミクスオーガ１６が配置されている。実施例１のアドミクスオーガ１６は、第１の軸部の一例としての第１の回転軸１６ａを有する。第１の回転軸１６ａの外周には、第１の搬送部の一例としての第１の搬送羽根１６ｂが支持されている。第１の搬送羽根１６ｂは、軸方向に対して螺旋状に形成されている。
サプライ室３には、第２の搬送部材の一例としてのサプライオーガ１７が配置されている。実施例１のサプライオーガ１７は、第２の軸部の一例としての第２の回転軸１７ａを有する。第２の回転軸１７ａの外周には、第２の搬送部の一例としての第２の搬送羽根１７ｂが支持されている。第２の搬送羽根１７ｂは、軸方向に対して螺旋状に形成されている。なお、実施例１の第２の回転軸１７ａは、排出室８の後端まで延びている。第２の回転軸１７ａには、排出室８に対応する範囲で、排出用の搬送部の一例としての排出羽根１７ｃが支持されている。
前記各オーガ１６，１７は、回転時に、互いに逆方向に現像剤を搬送するように、回転方向および搬送羽根１６ｂ，１７ｂの螺旋の方向が設定されている。
【００３２】
前記貯留室１３には、第３の搬送部材の一例としてのパドル１８が支持されている。パドル１８は、第３の軸部の一例としての第３の回転軸１８ａを有する。第３の回転軸１８ａには、第３の搬送部の一例としての第３の搬送羽根１８ｂが支持されている。実施例１の第３の搬送羽根１８ｂは、第３の回転軸１８ａから径方向に延びる板状に形成されている。
前記第１の現像室１１には、第１の現像部材の一例としての第１の現像ロール２１が支持されている。第１の現像ロール２１は、磁石部材の一例としての第１の磁石ロール２１ａを有する。第１の磁石ロール２１ａは、容器１に固定支持されている。第１の磁石ロール２１ａの外周には、現像剤の保持体の一例としての第１の現像スリーブ２１ｂが配置されている。第１の現像スリーブ２１ｂは、中空の円筒状に形成されている。
第２の現像室１２には、第２の現像部材の一例としての第２の現像ロール２２が支持されている。第２の現像ロール２２は、第１の現像ロール２１と同様に構成されており、磁石部材の一例としての第２の磁石ロール２２ａと、現像剤の保持体の一例としての第２の現像スリーブ２２ｂとを有する。
【００３３】
第１の現像ロール２１と感光体ドラムＰＲとが対向する領域により第１の現像領域Ｑ２ａが構成される。第２の現像ロール２２と感光体ドラムＰＲとが対向する領域により第２の現像領域Ｑ２ｂが構成される。したがって、実施例１では、感光体ドラムＰＲの回転方向に対して、第１の現像領域Ｑ２ａの上流側に第２の現像領域Ｑ２ｂが配置されている。前記第１の現像領域Ｑ２ａと第２の現像領域Ｑ２ｂとにより、実施例１の現像領域Ｑ２が構成されている。
なお、実施例１の第１の現像スリーブ２１ｂは、第１の現像領域Ｑ２ａにおいて、感光体ドラムＰＲの回転方向に沿った方向に回転する。また、実施例１の第２の現像スリーブ２２ｂは、第２の現像領域Ｑ２ｂにおいて、感光体ドラムＰＲの回転方向とは逆方向に回転する。したがって、実施例１では、感光体ドラムＰＲに対して、第１の現像スリーブ２１ｂがwith方向に回転し、且つ、第２の現像スリーブ２２ｂがagainst方向に回転する。
【００３４】
図２において、第１の現像ロール２１の左斜め上方には、層厚の規制部材の一例としてのトリマー３１が支持されている。トリマー３１は、第１の現像スリーブ２１ｂに対して、予め設定された間隔を空けて先端が支持されている。
前記トリマー３１は、規制部材の支持体の一例としてのホルダ３２に支持されている。実施例１のホルダ３２は、前後方向に延びる塊状、いわゆるブロック状に形成されている。ホルダ３２の右下面には、左下方向のサプライ室３に向けて延びる案内面３２ａが形成されている。
第２の現像ロール２２の左方には、現像剤の案内部材の一例としてのシュート３３が配置されている。実施例１のシュート３３は、第２の現像スリーブ２２ｂの表面に先端が近接して配置されている。シュート３３の基端部は、貯留室１３まで延びている。したがって、シュート３３は、第２の現像スリーブ２２ｂから剥離した現像剤を貯留室１３に案内する。
【００３５】
（磁極の説明）
図４は実施例１の第１の現像ロールのトリマーの近傍の要部説明図である。
図２において、第１の磁石ロール２１ａは、サプライオーガ１７に対応する位置に、吸着用の磁極の一例としてのピックアップ磁極Ｎ１１が配置されている。
図４において、実施例１のピックアップ磁極Ｎ１１は、予め設定された基準位置３６に対して、第１の現像スリーブ２１ｂの回転方向に沿って１５３°回転した位置に設定されている。なお、実施例１では、ピックアップ磁極Ｎ１１の磁極の強さは、７３［ｍＴ］に設定されている。なお、実施例１では、基準位置３６は、水平面に設定されている。また、図４に示すように、実施例１では、ピックアップ磁極Ｎ１１は、第１の現像ロール２１の回転中心２１ｃに対して、重力方向で下方に配置されている。
【００３６】
第１の現像スリーブ２１ｂの回転方向に対して、ピックアップ磁極Ｎ１１の下流側には、層厚の規制用の磁極の一例としてのトリミング磁極Ｓ１１が配置されている。トリミング磁極Ｓ１１は、トリマー３１に対応して配置されている。トリミング磁極Ｓ１１は、ピックアップ磁極Ｎ１１とは逆極性の磁極により構成されている。
実施例１のトリミング磁極Ｓ１１は、予め設定された基準位置３６に対して、第１の現像スリーブ２１ｂの逆回転方向に沿って１４８．５°回転した位置に設定されている。実施例１のトリミング磁極Ｓ１１の磁極の強さは、７７［ｍＴ］に設定されている。また、図４に示すように、実施例１では、トリミング磁極Ｓ１１は、第１の現像ロール２１の回転中心２１ｃに対して、重力方向で上方に配置されている。
【００３７】
なお、実施例１では、トリミング磁極Ｓ１１とピックアップ磁極Ｎ１１との間で磁力が極小となる位置と第１の現像ロール２１の回転中心２１ｃとを結ぶ仮想線分３７の延長線上に、ホルダ３２の案内部３２ａの下端部３２ｂが配置されるように、トリミング磁極Ｓ１１とピックアップ磁極Ｎ１１の位置及び磁力の強さが設定されている。実施例１では、トリミング磁極Ｓ１１とピックアップ磁極Ｎ１１との間で磁力が極小となる位置とほぼ一致するトリミング磁極Ｓ１１とピックアップ磁極Ｎ１１との中間の位置３７ａが、案内部３２ａの下端部３２ｂに対応して配置されている。また、図４に示すように、実施例１では、案内部３２ａの下端部３２ｂは、第１の現像ロール２１の回転中心２１ｃに対して、重力方向で下方に配置されている。
【００３８】
図２において、第１の現像スリーブ２１ｂの回転方向に対して、トリミング磁極Ｓ１１の下流側には、一方の対向磁極の一例としての受け渡し磁極Ｎ１２が配置されている。実施例１の受け渡し磁極Ｎ１２は、現像スリーブ２１ｂ，２２ｂの最近接位置４１に対応して配置されている。受け渡し磁極Ｎ１２は、トリミング磁極Ｓ１１とは逆極性の磁極により構成されている。
【００３９】
第１の現像スリーブ２１ｂの回転方向に対して、受け渡し磁極Ｎ１２の下流側には、第１の搬送磁極Ｓ１２が配置されている。第１の搬送磁極Ｓ１２は、受け渡し磁極Ｎ１２とは逆極性の磁極により構成されている。
第１の現像スリーブ２１ｂの回転方向に対して、第１の搬送磁極Ｓ１２の下流側には、第１の現像磁極Ｎ１３が配置されている。第１の現像磁極Ｎ１３は、第１の現像領域Ｑ２ａに対応して配置されている。第１の現像磁極Ｎ１３は、第１の搬送磁極Ｓ１２とは逆極性の磁極により構成されている。
【００４０】
第１の現像スリーブ２１ｂの回転方向に対して、第１の現像磁極Ｎ１３の下流側には、第２の搬送磁極Ｓ１３が配置されている。第２の搬送磁極Ｓ１３は、第１の現像磁極Ｎ１３とは逆極性の磁極により構成されている。
第１の現像スリーブ２１ｂの回転方向に対して、第２の搬送磁極Ｓ１３の下流側には、
剥離磁極の一例としてのピックオフ磁極Ｎ１４が配置されている。ピックオフ磁極Ｎ１４は、ピックアップ磁極Ｎ１１と同極性且つ第２の搬送磁極Ｓ１３とは逆極性の磁極により構成されている。また、ピックオフ磁極Ｎ１４とピックアップ磁極Ｎ１１との間で磁力が極小になる位置が、サプライ室３に対応するように、ピックオフ磁極Ｎ１４が配置されている。
【００４１】
第２の現像ロール２２の磁石ロール２２ａには、最近接位置に対応して、他方の対向磁極の一例としての受け取り磁極Ｓ２１，Ｎ２１が配置されている。実施例１の受け取り磁極Ｓ２１，Ｎ２１は、互いに異なる極性の一対の磁極により構成されている。また、実施１では、第２の現像スリーブ２２ｂの回転方向に対して、最近接位置を挟んで対称な位置に、各受け取り磁極Ｓ２１，Ｎ２１が配置されている。さらに、実施例１では、第２の現像スリーブ２２ｂの回転方向に対して、上流側に配置された第１の受け取り磁極Ｓ２１は、受け渡し磁極Ｎ１２とは逆極性の磁極により構成されている。したがって、第２の現像スリーブ２２ｂの回転方向に対して、下流側に配置された第２の受け取り磁極Ｎ２１は、受け渡し磁極Ｎ１２と同極性の磁極により構成されている。
【００４２】
第２の現像スリーブ２２ｂの回転方向に対して、第２の受け取り磁極Ｎ２１の下流側には、第２の現像磁極Ｓ２２が配置されている。実施例１の第２の現像磁極Ｓ２２は、第２の受け取り磁極Ｎ２１とは逆極性の磁極により構成されている。よって、実施例１の第２の現像磁極Ｓ２２と第２の受け取り磁極Ｎ２１との間で第２の現像スリーブ２２ｂに現像剤を吸着させる磁界を発生させる。
また、実施例１の第２の現像磁極Ｓ２２は、第２の現像領域Ｑ２ｂに対応した位置に配置されている。実施例１では、第２の現像ロール２２と感光体ドラムＰＲとの最近接位置に対して、第２の現像スリーブ２２ｂの回転方向の上流側にずれた位置に、実施例１の第２の現像磁極Ｓ２２が配置されている。
【００４３】
第２の現像スリーブ２２ｂの回転方向に対して、第２の現像磁極Ｓ２２の下流側には、第３の搬送磁極Ｎ２２が配置されている。第３の搬送磁極Ｎ２２は、第２の現像磁極Ｓ２２と逆極性の磁極により構成されている。
第２の現像スリーブ２２ｂの回転方向に対して、第３の搬送磁極Ｎ２２の下流側には、第４の搬送磁極Ｓ２３が配置されている。第４の搬送磁極Ｓ２３は、第３の搬送磁極Ｎ２２と逆極性の磁極により構成されている。
【００４４】
第２の現像スリーブ２２ｂの回転方向に対して、第４の搬送磁極Ｓ２３の下流側には、第１のピックオフ磁極Ｎ２３が配置されている。また、第２の現像スリーブ２２ｂの回転方向に対して、第１のピックオフ磁極Ｎ２３の下流側には、第２のピックオフ磁極Ｎ２４が配置されている。実施例１では、各ピックオフ磁極Ｎ２３，Ｎ２４は、互いに同極性、且つ、第４の搬送磁極Ｓ２３とは逆極性の磁極により構成されている。
なお、実施例１では、第１のピックオフ磁極Ｎ２３と第２のピックオフ磁極Ｎ２４との間の磁力が極小になる位置が、シュート３３の先端に対応するように、各ピックオフ磁極Ｎ２３，Ｎ２４が配置されている。
【００４５】
（実施例１の作用）
前記構成を備えた実施例１の複写機Ｕでは、画像形成の動作が開始されると、現像装置Ｇの現像ロール２１，２２、オーガ１６，１７、パドル１８が回転を開始する。オーガ１６，１７の回転に伴って、アドミクス室２とサプライ室３に収容された現像剤が撹拌されながら、互いに逆方向に搬送される。各室２，３の下流部まで搬送された現像剤は、流入部６，７を通じて、他方の室２，３に流入する。したがって、アドミクス室２とサプライ室３との間で、現像剤が循環する。また、アドミクス室２からサプライ室３に流入する現像剤の一部は、現像剤の排出口８ａに搬送される。したがって、劣化した現像剤は、現像剤の排出口８ａから少しずつ排出される。
【００４６】
サプライ室３の現像剤は、ピックアップ磁極Ｎ１１の磁力で、第１の現像スリーブ２１ｂの表面に吸着される。トリミング磁極Ｓ１１は、現像剤を、トリマー３１に向けて起立した状態、いわゆる穂立ちした状態にする。トリマー３１は、穂立ちした現像剤に接触して、第１の現像スリーブ２１ｂの表面の現像剤の層の厚さを規制する。
トリマー３１を通過した現像剤は、第１の現像スリーブ２１ｂの回転に伴って、受け渡し磁極Ｎ１２および受け取り磁極Ｓ２１，Ｎ２１との間の領域に搬送される。
【００４７】
第１の現像スリーブ２１ｂの表面の現像剤は、受け渡し磁極Ｎ１２および第１の受け取り磁極Ｓ２１との間で発生する磁界の磁力を受けて、一部の現像剤が、第２の現像スリーブ２２ｂ側に移動する。このとき、第１の現像スリーブ２１ｂの現像剤の半分が、第２の現像スリーブ２２ｂの表面に移動し、且つ、残りの現像剤が第１の現像スリーブ２１ｂに残るように、各磁極Ｎ１２，Ｓ２１，Ｎ２１の磁力が設定されている。
【００４８】
感光体ドラムＰＲの回転に伴い、感光体ドラムＰＲの表面の潜像が第２の現像領域Ｑ２ｂから第１の現像領域Ｑ２ａと順次通過して、可視像に現像される。したがって、感光体ドラムＰＲの表面の潜像は、２つの現像ロール２１，２２で現像される。
よって、感光体ドラムＰＲの回転の高速化等に伴って、一度の現像では、現像不良が発生する恐れがある構成に比べて、実施例１の現像装置Ｇでは、２回の現像で現像不良の発生が低減されている。
【００４９】
第１の現像領域Ｑ２ａで消費されなかった現像剤は、第１の現像スリーブ２１ｂの表面に付着した状態で、ピックオフ磁極Ｎ１４とピックアップ磁極Ｎ１１との間の磁力が極小の位置で、第１の現像スリーブ２１ｂから離脱する。第１の現像スリーブ２１ｂから離脱した現像剤は、サプライ室３に戻される。サプライ室３に戻された現像剤は、サプライオーガ１７で撹拌されながら搬送される。サプライ室３の現像剤は、第１の現像ロール２１に吸着されて再使用されたり、アドミクス室２に搬送されて循環する。
第２の現像領域Ｑ２ｂで消費されなかった現像剤は、第３の搬送磁極Ｎ２２の磁力を受けて第２の現像スリーブ２２ｂの表面に保持された状態で、下流側に搬送される。第２の現像スリーブ２２ｂの現像剤は、シュート３３の位置で第２の現像スリーブ２２ｂから離脱する。第２の現像スリーブ２２ｂから離脱した現像剤は、シュート３３に沿って案内されて、貯留室１３に流入する。パドル１８は、貯留室１３に流入した現像剤をサプライ室３に戻す。
【００５０】
図５は従来の現像ロールにおけるトリマー近傍の説明図である。
図５において、従来の現像ロール０１では、現像スリーブ０２の回転方向に対して、トリミング磁極Ｓ０３は、基準位置０４から逆回転方向に、一例として、１４５．５°の位置に設定され、ピックアップ磁極Ｎ０６は、基準位置０４から順回転方向に１６６°の位置に設定されている。したがって、トリミング磁極Ｓ０３とピックアップ磁極Ｎ０６との間で磁力が極小となる位置０７は、ホルダ０８の下端０８ａに比べて上方に離れた位置となっている。
【００５１】
図６は磁気のプロファイルと磁力との説明図であり、図６Ａは図５に示す従来の構成における磁気プロファイルについて横軸に位相を取り縦軸に磁束密度を取ったグラフ、図６Ｂは図５に示す従来の構成における磁力について横軸に位相を取り縦軸に磁力を取ったグラフ、図６Ｃは実施例１における磁気プロファイルについて横軸に位相を取り縦軸に磁束密度を取ったグラフ、図６Ｄは実施例１における磁力について横軸に位相を取り縦軸に磁力を取ったグラフである。
なお、図６では、実線が、法線方向（径方向）の磁束密度や磁力を示し、破線が接線方向（周方向）の磁束密度や磁力を示す。
図６において、図５に示す従来の構成では、ピックアップ磁極Ｎ０６とトリミング磁極Ｓ０３との間隔が比較的狭い。したがって、図６Ｂの法線方向の波形に示すように、ピックアップ磁極Ｎ０６とトリミング磁極Ｓ０３との間で磁力が極小となる位置０７でも、磁力がゼロにならない。したがって、極小となる位置０７でも、磁力がある程度存在しており、極小となる位置０７の上流側および下流側では、極小となる位置０７よりも強い磁力が作用する。
【００５２】
したがって、図５に示す従来の構成では、トリマー０９で規制されてトリマー０９と現像スリーブ０２との隙間を通過できなかった現像剤は、下方の容器側に戻ろうとしても、まず、磁力が極小となる位置０７の磁力で保持され、下方に落下しにくい。その上、磁力が極小となる位置０７から下方に落下しても、磁力が極小となる位置０７よりも下方且つホルダ０８の下端０８ａよりも上方の空間０１０では、磁力が極小の位置０７よりも強く、磁力で保持されやすい。したがって、現像スリーブ０２とトリマー０９とホルダ０８とで囲まれた楔状の空間０１０に現像剤が滞留しやすくなる。
【００５３】
特に、２本の現像ロールを有する構成では、トリミング磁極と第１の現像磁極との間に現像剤を受け渡す領域が必要となる。したがって、トリミング磁極とピックアップ磁極との間を十分に確保しにくい。このような場合、極小となる位置０７における磁力は、極小ではあるが、トリミング磁極とピックアップ磁極とが十分に離れている場合に比べて、磁力の絶対的な値は大きくなりやすい。したがって、磁力が極小の位置０７でも現像剤が保持されやすくなり、楔状の空間０１０に現像剤が滞留しやすくなる。
楔状の空間０１０に滞留した現像剤は、現像スリーブ０２の回転に伴って上流から搬送されてくる現像剤に押される。したがって、トリマー０９に突入する現像剤の圧力が過剰になり、予め設定された量よりも過剰な量の現像剤がトリマー０９を通過する恐れがある。また、滞留した現像剤が、上流から搬送されてきた現像剤に押されると、現像剤が負荷、いわゆるストレスを受けて、劣化しやすくなる。さらに、現像剤が長期間滞留すると、流動性や帯電電荷量が低下する等の問題も発生する。過剰な量の現像剤が通過したり、劣化したり、流動性が低下した現像剤が現像に使用されると、現像不良が発生する恐れがある。
【００５４】
これに対して、実施例１の第１の現像ロール２１では、図４に示すように、トリミング磁極Ｓ１１とピックアップ磁極Ｎ１１との間で磁力が極小となる位置５１と第１の現像ロール２１の回転中心２１ｃとを結ぶ仮想線分３７の延長線上に、ホルダ３２の案内部３２ａの下端部３２ｂが配置されている。そして、図６Ｄに示すように、磁力が極小となる位置５１において、従来の構成に比べて、磁力がゼロに近くなる。
特に、実施例１では、図６Ｃに示すように、トリミング磁極Ｓ１１とピックアップ磁極Ｎ１１との間の波形が、図６Ａに示す従来の構成と異なる。すなわち、トリミング磁極Ｓ１１からの磁束密度の正弦波形と、ピックアップ磁極Ｎ１１からの磁束密度の正弦波形と、の間において、極小となる位置３７ａの近傍で、正弦波形よりも磁束密度が急激に低下する３次曲線に近い波形となっている。したがって、２つの正弦波形と３次曲線とを接続する変曲点５１，５２が２つ存在する磁束密度のプロファイルとなるように、磁石ロール２１ａが構成されている。よって、実施例１では、従来の構成に比べて、磁力が極小となる位置３７ａにおいて、図６Ｄに示すように、磁力がゼロに近づきやすい。
【００５５】
したがって、トリマー３１で規制された現像剤が、案内部３２ａに沿って下端部３２ｂまで流動すると、下端部３２ｂの位置で、磁力が極小になる。よって、現像剤がサプライ室３に落下しやすくなる。したがって、磁力が極小となる位置５１が下端部３２ｂに対応していない従来の構成に比べて、楔状の空間における現像剤の滞留が低減される。また、磁力が極小となる位置０７でも磁力がゼロにならない従来の構成に比べて、極小となる位置３７ａにおいて磁力がゼロに近く実施例１の構成では、現像剤が磁力で保持されにくい。よって、現像剤の滞留も低減される。よって、現像剤の過剰な通過や劣化、現像不良の発生も低減される。
【００５６】
また、実施例１では、下端部３２ｂが、現像ロール２１の回転中心２１ｃよりも重力方向で下方に配置されている。ここで、実施例１のサプライオーガ１７は、現像ロール２１側で上方から下方に回転している。したがって、サプライオーガ１７の上端では、サプライオーガ１７の回転に伴って、第２の搬送羽根１７ｂに押された現像剤は、左方から右方に向けて送られる。ここで、下端部３２ｂが現像ロール２１の回転中心２１ｃよりも重力方向で上方に配置されると、第２の搬送羽根１７ｂで押された現像剤が、第１の現像スリーブ２１ｂに保持されることなく、直接楔状の空間に進入する恐れがある。この場合、楔状の空間の現像剤が過剰となり、現像剤がストレスを受けて劣化しやすくなる。
これに対して、実施例１では、現像ロール２１の回転中心よりも重力方向で下方に下端部３２ｂが配置されたホルダ３２が、楔状の空間への現像剤の進入を抑制する。よって、現像剤の劣化が抑制される。
【００５７】
図７は、現像剤が受け渡される領域における磁界の説明図であり、図７Ａは従来の構成における磁界の説明図、図７Ｂは実施例１の構成における磁界の説明図である。
図７Ａにおいて、従来の現像装置において、第１の現像ロール０１１から第２の現像ロール０１２に現像剤が受け渡される構成では、受け渡し磁極０１３に対向して、受け渡し磁極０１３とは逆極性の受け取り磁極０１４が配置されている。また、受け渡し磁極０１３と受け取り磁極０１４との間の隙間に、現像剤を振り分けるトリマー０１６が配置されている。この構成では、受け渡し磁極０１３と受け取り磁極０１４との間の磁界における磁力のバランスと、トリマー０１６と各ロール０１１，０１２との隙間と、で現像剤が振り分けられる。したがって、トリマー０１６の位置を通過できなかった現像剤は、受け渡し磁極０１３と受け取り磁極０１４との間の磁界に保持されて、受け渡し磁極０１３と受け取り磁極０１４との間の空間に滞留しやすい。受け渡し磁極０１３と受け取り磁極０１４との間の空間で現像剤が滞留すると、現像剤が負荷、ストレスを受けて、現像剤が劣化しやすくなる。また、トリマー０１６で現像剤が規制される際にも、現像剤がストレスを受けて劣化しやすい。現像剤が劣化すると、流動性や帯電量が変動しやすくなったり、現像剤のトナー濃度が変動しやすくなる。そして、流動性等が変動すると、トリマー０１６を通過する現像剤の量が変動する恐れがあり、現像不良に繋がる恐れがある。
また、トリマー０１６を使用する構成では、現像ロール０１１，０１２とトリマー０１６の間隔の製造誤差や組立誤差等や、磁極０１３，０１４の位置の精度で、現像剤の量が変動する恐れもある。
【００５８】
これに対して、実施例１の現像装置Ｇでは、第１の現像ロール２１から第２の現像ロール２２に現像剤が受け渡される領域において、１つの受け渡し磁極Ｎ１２と、互いに異なる極性の２つの受け取り磁極Ｓ２１，Ｎ２１が配置されている。したがって、互いに逆極性の受け渡し磁極Ｎ１２と第１の受け取り磁極Ｓ２１との間に引きつけあう磁界４２が形成されると共に、互いに同極性の受け渡し磁極Ｎ１２と第２の受け取り磁極Ｎ２１との間には反発する磁界４３が形成される。よって、受け渡し磁極Ｎ１２と第１の受け取り磁極Ｓ２１との間では、現像剤の受け渡しが促進されると共に、受け渡し磁極Ｎ１２と第２の受け取り磁極Ｎ２１との間では、現像剤の受け渡しが制限される。
なお、第２の現像ロール２２の表面に移動した現像剤は、第１の受け取り磁極Ｓ２１と第２の受け取り磁極Ｎ２１との間に形成される磁界４４で、第２の現像ロール２２に保持される。すなわち、実施例１の第２の現像ロール２２では、受け取り磁極Ｓ２１，Ｎ２１間の磁界４４で保持可能な現像剤が第１の現像ロール２１に吸着されることとなる。よって、従来の構成では、第２の現像ロール０１２やトリマー０１６の設置誤差等で隙間の広さがばらつく恐れがあり、第２の現像ロール０１２の表面に保持される現像剤の量が変動する恐れがあったが、実施例１の現像装置Ｇでは、磁界４４で保持可能な現像剤の量が第２の現像ロール２２に保持される。よって、第２の現像ロール２２の表面に保持される現像剤の量が安定しやすくなっている。
【００５９】
また、実施例１の現像装置Ｇでは、第１の現像ロール２１から第２の現像ロール２２に現像剤が受け渡される領域に、現像剤の受け渡しが促進されるだけでなく現像剤の受け渡しが制限される磁界４３も存在している。したがって、現像剤が受け渡される領域では、受け渡しが制限される磁界４３が、現像剤を保持することを抑制することとなり、現像剤の滞留が抑制される。したがって、従来の構成に比べて、現像剤の滞留に伴うストレスが低減される。
【００６０】
特に、実施例１では、第２の現像ロール２２の回転方向に対して、上流側に第１の受け取り磁極Ｓ２１が配置され、下流側に第２の受け取り磁極Ｎ２１が配置されている。したがって、上流側で現像剤の受け渡しが促進された後、下流側で現像剤の受け渡しが制限される。したがって、第２の現像ロール２２の回転方向の下流側では、トリマー０１６を配置しなくても、現像剤の受け渡しを制限する磁界４３が、トリマー０１６と同様に、現像ロール２１，２２間での現像剤の移動を抑制する。また、実施例１の現像装置Ｇでは、上流側の引きつけあう磁界４２で現像剤の移動が行われた後で、下流側の反発する磁界４３で現像剤の分割、振り分けが確実に行われやすくなっている。
したがって、トリマー０１６を使用して物理的に現像剤の層を振り分ける構成に比べて、現像剤にかかるストレスが低減された状態で現像剤が安定して振り分けられる。よって、従来の構成に比べて、現像剤の劣化を抑制可能且つ安定した振り分けが可能になっている。
【００６１】
さらに、実施例１の現像装置Ｇでは、第２の現像領域Ｑ２ｂにおいて、感光体ドラムＰＲに対してagainst方向に回転する第２の現像ロール２２に、２つの磁極Ｓ２１，Ｎ２１が配置されている。ここで、against方向に回転する第２の現像ロール２２では、感光体ドラムＰＲに対してwith方向に回転する第１の現像ロール２１に比べて、感光体ドラムＰＲの表面との相対速度が速くなる。したがって、第２の現像領域Ｑ２ｂでは、感光体ドラムＰＲや第２の現像ロール２２の回転速度が高速化するに連れて、現像条件が厳しくなる。よって、第１の現像ロール２１に比べて、第２の現像ロール２２の表面に保持された現像剤の量が変動すると、画質に影響が出やすくなる。
ここで、現像剤が受け渡される領域において、２つの磁極Ｓ２１，Ｎ２１が配置されている側と、１つの磁極Ｎ１２が配置されている側とでは、２つの磁極Ｓ２１，Ｎ２１が配置されている側の方が、２つの磁極Ｓ２１，Ｎ２１間での磁界４４で現像剤の量が安定しやすい。そして、実施例１の現像装置Ｇでは、against方向に回転する第２の現像ロール２２に、２つの磁極Ｓ２１，Ｎ２１が配置されており、第２の現像ロール２２の表面に保持される現像剤の量が安定しやすく、高速回転や高画質化に対応可能である。
【００６２】
また、実施例１の現像装置Ｇでは、第１の受け取り磁極Ｓ２１は、第１の現像スリーブ２１ｂと第２の現像スリーブ２２ｂの最近接位置４１に対して、上流側にずれた位置に配置されている。したがって、従来の構成に比べて、第１の受け取り磁極Ｓ２１と受け渡し磁極Ｎ１２との間の磁界４２が、最近接位置４１に差し掛かりにくくなっている。現像ロール０１１，０１２の偏心や曲率等が存在すると、最近接位置４１では、隙間が広くなったり狭くなることの影響を受けやすくなる。したがって、従来の構成のように、最近接位置４１に受け渡される磁界を発生させると、受け渡される現像剤の量が変動しやすくなる。これに対して、実施例１の現像装置Ｇでは、最近接位置４１に差し掛かる磁界４２が少なくなり、現像ロール２１，２２の曲率等の影響を受けることが少なくなる。よって、受け渡される現像剤の量を安定化することが可能である。
【００６３】
また、実施例１の現像装置Ｇでは、第１の現像磁極Ｎ１３と第２の現像磁極Ｓ２２とが同極性の磁極で構成されている。したがって、２つの現像磁極が異なる極性の場合、２つの磁極間で磁界が発生しやすくなる。特に、現像装置Ｇが小型化されて、２つの現像ロール２１，２２が近づくと、現像磁極間の磁界の影響が出やすくなる。現像磁極間に磁界が発生すると、現像磁極どうしの間の空間に現像剤が保持されやすくなり、保持された現像剤が感光体ドラムＰＲの表面の画像を掻き取る恐れがある。これに対して、実施例１では、現像磁極Ｓ１２，Ｓ２２が同極性で構成されており、現像磁極Ｓ１２，Ｓ２２の間の空間に現像剤が保持されることが低減される。
さらに、実施例１では、第２の現像磁極Ｓ２２が、第２の現像ロール２２と感光体ドラムＰＲとの最近接位置に対して、感光体ドラムＰＲの回転方向の下流側に配置されている。したがって、最近接位置では、現像剤が磁力線に沿って並んだ状態、いわゆる穂立ちした状態にならない。最近接位置で現像剤を穂立ちさせる場合、最も隙間の狭い最近接位置で、現像剤が穂立ちすると、感光体ドラムＰＲの表面が受ける現像剤の圧力が大きくなる。したがって、画像が掻き取られる等の画像欠陥が発生する恐れがある。これに対して、実施例１では、第２の現像磁極Ｓ２２が、最近接位置に対して、感光体ドラムＰＲの回転方向の下流側に配置されており、最近接位置において圧力が過剰になることが抑制される。
【００６４】
また、実施例１では、感光体ドラムＰＲの回転方向の下流側の現像磁極Ｓ２２の位置で穂立ちしており、最近接位置だけでなく、感光体ドラムＰＲの回転方向に沿って下流側の幅を持った領域で現像が可能になっている。したがって、感光体ドラムＰＲや第２の現像ロール２２の回転速度が高速化しても、感光体ドラムＰＲの回転方向に沿って幅を持った第２の現像領域Ｑ２ｂで現像を安定して行うことが可能になる。また、第２の現像領域Ｑ２ｂが幅を有していると、仮に、第２の現像領域Ｑ２ｂの上流側で現像直後の可視像が掻き取られたとしても、第２の現像領域Ｑ２ｂの下流側で再び現像することが可能である。したがって、現像不良の発生を抑制することが可能である。
【００６５】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ012）を下記に例示する。
（Ｈ01）前記各実施例において、画像形成装置の一例として複写機Ｕを例示したが、これに限定されない。例えば、画像形成装置の一例としてのプリンタ、ＦＡＸ、あるいはこれら複数の機能を備えた複合機等に適用可能である。また、単色の画像形成装置に限定されず、多色の画像形成装置にも適用可能である。
【００６６】
（Ｈ02）前記実施例において、第１の現像ロール２１の回転方向はagainst方向に限定されず、with方向とすることも可能である。
（Ｈ03）前記実施例において、受け渡し領域において、１つの磁極Ｎ１２をwith側の現像ロール２２に配置し、２つの磁極Ｓ２１、Ｎ２１をagainst側の現像ロール２１に配置することが望ましいが、組み合わせを逆にすることも可能である。
（Ｈ04）前記実施例において、受け取り磁極Ｓ２１，Ｎ２１のうち、受け渡し磁極Ｎ１２と逆極性の磁極Ｓ２１を上流側に配置し、同極性の磁極Ｎ２１を下流側に配置することが望ましいが、逆極性の磁極Ｓ２１を下流側に配置し、且つ、同極性の磁極Ｎ２１を上流側に配置することも可能である。
【００６７】
（Ｈ05）前記実施例において、第１の受け取り磁極Ｓ２１を最近接位置に対してずらした位置に配置することが望ましいが、最近接位置に対応して配置することも可能である。
（Ｈ06）前記実施例において、アドミクス室２やサプライ室３、貯留室１３オーガ１６，１７やパドル１８、シュート３３の構成は、実施例に例示した構成に限定されない。例えば、貯留室１３からアドミクス室２に現像剤を流入させる構成としたり、パドル１８をオーガ１６，１７と同様の構成としたり等、任意の変更が可能である。
【００６８】
（Ｈ07）前記実施例において、従来技術と同様のトリマーを配置しない構成とすることが望ましいが、本願発明に対して、補助的に付加する部材として、振り分けの補助部材の一例としてのトリマーを設置することも可能である。
（Ｈ08）前記実施例において、Ｎ，Ｓ等の極性や磁極の位置、数等に関しては、実施例に例示した構成に限定されない。設計や仕様等に応じて、任意に変更可能である。
（Ｈ09）前記実施例において、ホルダ３２の下端部３２ｂの位置は、第１の現像ロール２１の回転中心２１ｃよりも重力方向で下方であることが望ましいが、これに限定されない。下端部３２ｂを、回転中心２１ｃに対して、重力方向で上方に配置することも可能である。
【００６９】
（Ｈ010）前記実施例において、トリミング磁極Ｓ１１やピックアップ磁極Ｎ１１、ホルダ３２の下端部３２ｂの配置等については、２つの現像ロール２１，２２を有する構成において、より効果的であるが、これに限定されない。現像ロールが１つのみの構成においても適用可能である。また、３つ以上の現像ロールを有する現像装置にも適用可能である。
（Ｈ011）前記実施例において、２つの受け取り磁極Ｓ２１，Ｎ２１を設ける構成とすることが望ましいが、これに限定されない。従来の構成と同様に、１つの受け取り磁極とトリマーを配置する構成とすることも可能である。
（Ｈ012）前記実施例において、磁極の数は、各現像ロール２１，２２において、７極ずつ配置する構成例示したが、これに限定されない。設計や仕様等に応じて、搬送磁極の数は増減させることが可能であり、６極以下や８極以上とすることも可能である。
【符号の説明】
【００７０】
１…容器、
２１…現像部材、
２１ａ…磁石部材、
２１ｂ…回転体、
２１ｃ…回転体の回転中心、
２２…第２の現像部材、
２２ａ…第２の磁石部材、
２２ｂ…第２の回転体、
３１…規制部材、
３２ａ…案内部、
３２ｂ…端部、
３７…線分、
３７ａ…極小の位置、
Ｆ…定着装置、
Ｇ…現像装置、
Ｎ１１…吸着用の磁極、
ＰＲ…像保持体、
ＲＯＳ…潜像の形成装置、
Ｓ…媒体、
Ｓ１１…規制用の磁極、
ＴＵ…転写装置、
Ｕ…画像形成装置。
【図１】
2014174492.tif 000003
【図２】
2014174492.tif 000004
【図３】
2014174492.tif 000005
【図４】
2014174492.tif 000006
【図５】
2014174492.tif 000007
【図６】
2014174492.tif 000008
【図７】
2014174492.tif 000009